(57)【要約】【課題】電子機器において、表示モニタの回転角度が所定の回転角度になったことを精度よく検出するとともに、外観が損なわれることがないようにする。【解決手段】  電子機器は、機器本体１と、当該機器本体に対して回転可能に取り付けられた表示モニタ４とを備え、機器本体と表示モニタとがフレキシブルプリント基板１１によって接続されている。案内機構によって表示モニタの回転に応じてフレキシブルプリント基板を機器本体において案内し、フレキシブルプリント基板が案内機構において所定の位置に移動した際に検知スイッチがオンして表示モニタの回転角度が所定の回転角度となったことを検知する。【選択図】図４
2016186563.tif 000002
【特許請求の範囲】
【請求項１】
機器本体と、前記機器本体に対して回転可能に取り付けられた可動部とを備え、前記機器本体と前記可動部とがフレキシブル配線部によって接続された電子機器であって、
前記可動部の回転に応じて前記フレキシブル配線部を前記機器本体において案内する案内機構と、
前記フレキシブル配線部が前記案内機構において所定の位置に移動した際に、出力が変化して前記可動部の回転角度が所定の回転角度となったことを検知する検知手段と、
を有することを特徴とする電子機器。
【請求項２】
前記所定の回転角度は前記可動部が前記機器本体に対して略１８０度となる開状態であることを特徴とする請求項１に記載の電子機器。
【請求項３】
前記案内機構は、前記フレキシブル配線部を案内するためのガイド部材を備え、
前記ガイド部材に前記フレキシブル配線部が固定されて、前記フレキシブル配線部は前記ガイド部材ともに前記案内機構によって定められた可動範囲を移動することを特徴とする請求項１又は２に記載の電子機器。
【請求項４】
前記ガイド部材には突起部が形成されており、
前記検知手段は、前記案内機構において前記所定の位置に配置された検知スイッチを備えており、
前記検知手段は、前記検知スイッチが前記突起部によってオンされると、前記可動部の回転角度が所定の回転角度となったことを検知することを特徴とする請求項３に記載の電子機器。
【請求項５】
前記検知手段は、前記案内機構において前記所定の位置に配置され発光部および受光部を有する光センサを備え、
前記検知手段は、前記発光部から発光した光が前記ガイド部材で反射して前記受光部で受光されると出力が変化して前記可動部の回転角度が所定の回転角度となったことを検知することを特徴とする請求項３に記載の電子機器。
【請求項６】
前記検知手段は、前記案内機構において前記所定の位置に配置され発光部および受光部を有する光センサを備え、
前記ガイド部材には、前記ガイド部材の移動に応じて前記発光部と前記受光部との間に進退する遮蔽部材が形成されており、
前記検知手段は、前記発光部から発光した光が前記遮蔽部材で遮蔽されて前記受光部で受光されないと出力が変化して前記可動部の回転角度が所定の回転角度となったことを検知することを特徴とする請求項３に記載の電子機器。
【請求項７】
前記可動部は、前記機器本体で処理されたデータを表示するための表示モニタであることを特徴とする請求項１〜６のいずれか１項に記載の電子機器。
【発明の詳細な説明】
【技術分野】
【０００１】
本発明は、表示モニタを備える電子機器に関し、特に、表示モニタがヒンジ機構によって電子機器本体に回転可能に支持された電子機器に関する。
【背景技術】
【０００２】
一般に、デジタルカメラなどの電子機器においては、液晶ディスプレイ又は有機ＥＬディスプレイなどの表示モニタが備えられている。そして、当該表示モニタをヒンジ機構によって電子機器本体に対して回転可能に支持して、様々な回転角度で表示モニタを目視することができるようにしている。特に、デジタルカメラにおいては、撮影の際に、表示モニタを任意の回転角度に調整すれば、ローアングル撮影、ハイアングル撮影、又は自分撮り撮影を容易に行うことができる。
【０００３】
このようなデジタルカメラなどの電子機器においては、表示モニタの電子機器本体に対する回転角度が所定の角度を超えると、自分撮り撮影を行うと判定する。そして、表示モニタに表示される画像を上下に反転表示する表示切り替えを行って、操作者に違和感を与えないようにしている。
【０００４】
さらに、電子機器を小型化するため、マグネットおよび磁気センサを用いて電子機器本体に対する表示モニタの回転角度の検出が行われている。例えば、電子機器に備えられた表示モニタに第１のマグネットおよび第２のマグネットを設けるとともに、電子機器本体に第１の磁気センサおよび第２の磁気センサを設けるようにした電子機器がある（特許文献１参照）。そして、特許文献１においては、第１の磁気センサおよび第２の磁気センサの出力信号に基づいて、表示モニタの電子機器本体に対する回転角度を検知して表示切り替え制御を行うようにしている。
【先行技術文献】
【特許文献】
【０００５】
【特許文献１】特開２０１２−４２７４３号公報
【発明の概要】
【発明が解決しようとする課題】
【０００６】
ところが、特許文献１に記載の電子機器においては、磁気センサの感度のばらつきおよびマグネットの磁力ばらつき、そして、マグネットと磁気センサとの相対位置のばらつきを考慮すると、表示モニタの回転角度について誤差分を見越して回転角度を検出する必要がある。例えば、自分撮り撮影をする際に、表示モニタが電子機器本体に対して回転角度１８０度となった際に画像を確実に反転させるためには、表示モニタの回転角度が、例えば、１５０度となったことが検出された際には画像の反転を行う必要がある。なお、上述のばらつきによっては、表示モニタの回転角度が１５０度よりも浅い角度となったことを検出した際に画像を反転する必要がある。
【０００７】
一方、上空の鳥、飛行物体、又は天体などを撮影する際には、表示モニタを大きく回転させてローアングル撮影が行えれば便利であるが、この場合には表示モニタに表示する画像を反転させることは好ましくない。電子機器の設定によって磁気センサによる画像の反転をオフとするようにすればよいが、この場合には、操作者はシーンに応じて電子機器の設定を変更する必要があり、操作者にとっては極めて煩わしい。
【０００８】
磁気センサの代わりに接触式の検出スイッチを用いれば、表示モニタの回転角度を精度よく１８０度近傍で検出することはできるものの、この際には、表示モニタに検出スイッチを押すための凸部、そして、電子機器本体に当該凸部が挿入する開口を形成する必要がある。ところが、このような凸部および開口を形成すると、電子機器の外観が損なわれてしまう。
【０００９】
そこで、本発明の目的は、表示モニタの回転角度が所定の回転角度になったことを精度よく検出するとともに、外観が損なわれることのない電子機器を提供することにある。
【課題を解決するための手段】
【００１０】
上記の目的を達成するため、本発明による電子機器は、機器本体と、前記機器本体に対して回転可能に取り付けられた可動部とを備え、前記機器本体と前記可動部とがフレキシブル配線部によって接続された電子機器であって、前記可動部の回転に応じて前記フレキシブル配線部を前記機器本体において案内する案内機構と、前記フレキシブル配線部が前記案内機構において所定の位置に移動した際に、出力が変化して前記可動部の回転角度が所定の回転角度となったことを検知する検知手段と、を有することを特徴とする。
【発明の効果】
【００１１】
本発明によれば、案内機構によって機器本体においてフレキシブル配線部を案内して、しかもフレキシブル配線部が案内機構において所定の位置に移動した際に、出力が変化して可動部の回転角度が所定の回転角度となったことを検知する。これによって、可動部の回転角度が所定の回転角度になったことを検出して、しかも電子機器の外観が損なわれることがないようにすることができる。
【図面の簡単な説明】
【００１２】
【図１】本発明の第１の実施形態によるデジタルカメラの一例を説明するための図であり、（ａ）は表示モニタを閉じた状態でデジタルカメラを正面側から示す斜視図、（ｂ）は表示モニタを開いた状態でデジタルカメラを正面側から示す斜視図、（ｃ）は表示モニタを閉じた状態でデジタルカメラを背面側から示す斜視図、（ｄ）は表示モニタを開いた状態でデジタルカメラを背面側から示す斜視図である。
【図２】図１に示すカメラに備えられたヒンジ部の構成および動作を説明するための図であり、（ａ）は表示モニタを閉じた状態でカメラを側面から見た図、（ｂ）は表示モニタを開いて９０度回転させた状態を示す側面図、（ｃ）は表示モニタを開いて１８０度回転させた状態を示す側面図である。
【図３】図１に示す表示モニタが閉じられた状態を示す図であり（その１）、（ａ）はトップカバーを取り外して上面側から見た図、（ｂ）はトップカバーを取り外して正面側から見た図である。
【図４】図１に示す表示モニタが閉じられた状態を示す図であり（その２）、（ａ）は側面側から破断して示す図、（ｂ）は（ａ）に示すＡ−Ａ線に沿った断面図である。
【図５】図１に示す表示モニタを１８０度回転して開いた状態を示す図であり（その１）、（ａ）はトップカバーおよび表示モニタを取り外して上面側から見た図、（ｂ）はトップカバーを取り外して正面側から見た図である。
【図６】図１に示す表示モニタを１８０度回転して開いた状態を示す図であり（その２）、（ａ）は側面側から破断して示す図、（ｂ）はトップカバーおよびステーを取り外して背面側からみた斜視図である。
【図７】本発明の第２の実施形態によるカメラにおいて表示モニタが閉じた状態を説明するための図であり、（ａ）はトップカバーを取り外して上面側から見た図、（ｂ）はトップカバーを取り外して正面側から見た図、（ｃ）は破断して側面側から見た図である。
【図８】本発明の第２の実施形態によるカメラにおいて表示モニタが１８０度開いた状態を説明するための図であり、（ａ）はトップカバーを取り外して上面側から見た図、（ｂ）はトップカバーを取り外して正面側から見た図、（ｃ）は破断して側面側から見た図である。
【図９】本発明の第３の実施形態によるカメラにおいて表示モニタが閉じた状態を説明するための図であり、（ａ）はトップカバーを取り外して上面側から見た図、（ｂ）はトップカバーを取り外して正面側から見た図、（ｃ）は破断して側面側から見た図である。
【図１０】本発明の第３の実施形態によるカメラにおいて表示モニタが１８０度開いた状態を説明するための図であり、（ａ）はトップカバーを取り外して上面側から見た図、（ｂ）はトップカバーを取り外して正面側から見た図、（ｃ）は破断して側面側から見た図である。
【発明を実施するための形態】
【００１３】
以下に、本発明の実施の形態による電子機器の一例について図面を参照して説明する。なお、以下の説明では、電子機器の一例としてデジタルカメラを例に挙げて説明するが、デジタルカメラに限らず、他の電子機器、例えば、カメラを備える携帯電話機、タブレット端末にも適用することができる。
【００１４】
［第１の実施形態］
図１は、本発明の第１の実施形態によるデジタルカメラの一例を説明するための図である。そして、図１（ａ）は表示モニタを閉じた状態でデジタルカメラを正面側から示す斜視図であり、図１（ｂ）は表示モニタを開いた状態でデジタルカメラを正面側から示す斜視図である。また、図１（ｃ）は表示モニタを閉じた状態でデジタルカメラを背面側から示す斜視図であり、図１（ｄ）は表示モニタを開いた状態でデジタルカメラを背面側から示す斜視図である。
【００１５】
図示のデジタルカメラ（以下単にカメラと呼ぶ）は、カメラ本体（機器本体）１および表示モニタ（可動部）４を有しており、表示モニタ４は、後述のヒンジ部（ヒンジ機構）によってカメラ本体１に対して回転可能に支持されている。そして、表示モニタ４には、液晶ディスプレイなどの表示部４ｃが搭載されている。
【００１６】
表示部４ｃには撮影の結果得られた撮影画像又は記録媒体に記録された画像が再生画像として表示される。さらに、表示部４ｃにはシャッター速度および絞り値などの撮影条件、そして、撮影枚数およびメニューなどが表示される。図示の例では、表示部４ｃにはタッチパネルが備えてられており、ユーザは、表示部４ｃをタッチ操作することによって、例えば、撮影の際のレリーズ操作、ズーム操作、および撮影パラメータ変更などの各種操作を行うことができる。また、画像再生の際には、ユーザはタッチ操作によって、画像の送り操作、拡大および縮小操作など様々な操作を行うことができる。
【００１７】
カメラ本体１の前面（正面）にはＣＣＤなどの撮像素子を含むレンズ鏡筒２が配置されている。レンズ鏡筒２に入射した被写体像（光学像）は撮影光学系によって撮像素子に結像される。そして、撮像素子は光学像に応じた画像信号を出力する。
【００１８】
撮影モードの際には、撮像素子の出力である画像信号に応じた撮影画像（ライブビュー画像又はスルー画像ともいう）が逐次表示部４ｃに表示される。そして、ユーザが任意のタイミングでレリーズ操作を行うと、撮像素子の出力である画像信号に対して各種の画像処理が行われて、画像データとして記憶部（図示せず）に記憶される。
【００１９】
再生モードの際には、記憶部に記憶された画像データが読み出されて、画像データに応じた画像が表示部４ｃに表示されるとともに、当該画像に付随する情報が表示部４ｃに表示される。
【００２０】
ここで、図１に示すカメラに備えられたヒンジ部（ヒンジ機構）について説明する。
【００２１】
図２は、図１に示すカメラに備えられたヒンジ部の構成および動作を説明するための図である。そして、図２（ａ）は表示モニタを閉じた状態でカメラを側面から見た図であり、図２（ｂ）は表示モニタを開いて９０度回転させた状態を示す側面図である。また、図２（ｃ）は表示モニタを開いて１８０度回転させた状態を示す側面図である。
【００２２】
図１および図２を参照して、ヒンジ部は、カメラの一側面（例えば、レンズ鏡筒側から見て右側面）および他の側面（例えば、左側面）に配置されている。右側面に配置されたヒンジ部は、第１の回転軸５ａ、第２の回転軸５ｂ、および連結部材５を有しており、第１および第２の回転軸５ａおよび５ｂは連結部材５によって連結されている。第１の回転軸５ａはカメラ本体１に配設されており、カメラ本体１の右側面に支持されている。第２の回転軸５ｂは表示モニタ４に配設されており、表示モニタ４の右側面に支持されている。そして、連結部材５は、第１の回転軸５ａによってカメラ本体１に設けられた金属シャーシ（図示せず）に回転可能に支持されるとともに、第２の回転軸５ｂによって表示モニタに設けられた金属シャーシ８（図１（ｄ）参照）に回転可能に支持されている。
【００２３】
同様に、左側面に配置されたヒンジ部は、カメラ本体１に配設された第３の回転軸（図示せず）、表示モニタ４に配設された第４の回転軸（図示せず）、および連結部材６を有している。そして、連結部材６は、第３および第４の回転軸によって、連結部材５と同様にして回転可能に支持されている。なお、第１の回転軸５ａと第３の回転軸、そして、第２の回転軸５ａと第４の回転軸とは同軸上に配置されている。なお、以下の説明では、第３および第４の回転軸にそれぞれ参照番号６ａおよび６ｂを付す。
【００２４】
第１の回転軸５ａを中心として連結部材５がカメラ本体１に対して回転し、第２の回転軸５ｂを中心として表示モニタ４が連結部材５に対して回転する。連結部材５のカメラ本体１に対する回転角度と連結部材５の表示モニタ４に対する回転角度は、例えば、それぞれ９０度とされる。
【００２５】
なお、連結部材５のカメラ本体１に対する回転角度を７０度、連結部材５の表示モニタ４に対する回転角を１１０度とするなど、カメラのレイアウトに応じて回転角度を変更するようにしてもよい。いずれにしても、連結部材５のカメラ本体１に対する回転角度と連結部材５の表示モニタ４に対する回転角との合計が１８０度となればよい。
【００２６】
表示モニタ４をヒンジ部回りにカメラ本体１に対して回転させる際には、連結部材６についても連結部材５と同様に回転する。そして、連結部材５および６の回転を同期させるため、連結部材５および６間には金属製のステー７が配設されている。
【００２７】
ここで、２つのヒンジ部の回転順序および摺動トルクに関して説明する。いま、第１の回転軸５ａおよび第３の回転軸６ａを中心として回転する部分を本体側ヒンジと呼び、第２の回転軸５ｂおよび第４の回転軸６ｂを中心として回転する部分を表示部側ヒンジと呼ぶ。
【００２８】
上記の２軸ヒンジの場合、回転順序によっては表示モニタ４とカメラ本体１とが干渉することがある。例えば、表示モニタ４を図２（ａ）に示す状態から開く際には、表示部側ヒンジが先に回転を開始すると、表示モニタ４とカメラ本体１とが干渉する。また、表示モニタ４を図２（ｃ）に示す状態から閉じる際には、本体側ヒンジが先に回転を開始すると、カメラ本体１と表示モニタ４とが干渉する。
【００２９】
表示モニタ４を滑らかに開閉するためには２通りの手法がある。一つ目の手法では、表示モニタ４を開く場合には、本体側ヒンジを先に回転させ、表示モニタ４を閉じる場合には、表示部側ヒンジを先に回転させるようにヒンジ部を構成する。ところが、この手法では、表示モニタ４を１８０度開いた状態（開状態）における脱出トルクを大きくするため、別途カム構造および付勢ばねが必要になって、ヒンジ部が大型化して、しかもコスト増となってしまう。
【００３０】
二つ目の手法では、ヒンジ部を、表示部側ヒンジの摺動トルクを本体側ヒンジの摺動トルクより小さくなるように設定する。そして、常に表示部側ヒンジが先に回転するようにする。この場合、図２（ａ）に示す状態から表示モニタ４を開く場合には、先に表示部側ヒンジが回転するので表示モニタ４とカメラ本体１とが干渉する。
【００３１】
この干渉に対処するため、ここでは、カメラ本体１側に摺動面３ａおよび３ｂを設け、表示モニタ４側に４ａおよび４ｂを設ける。そして、表示モニタ４を開く場合には。摺動面３ａと摺動面４ａ、摺動面３ｂと摺動面４ｂとにおいて摺動しつつ表示モニタ４が開かれる。
【００３２】
一方、図２（ｃ）に示す状態から表示モニタ４を閉じる場合には、先に表示部側ヒンジが回転して、表示モニタ４とカメラ本体１とは当接することなく閉じられる。
【００３３】
図１（ｄ）において、表示モニタ４はフレキシブルプリント基板（ＦＰＣ：以下ヒンジＦＰＣと呼ぶ）１１によってカメラ本体１と電気的に接続されている。なお、表示モニタ４とカメラ本体１とが電気的に接続できればよいので、ＦＰＣ（フレキシブル配線部）に限らず、リード線を束ねたケーブルなどを用いるようにしてもよい。
【００３４】
図示のヒンジＦＰＣ１１は表示モニタ４の回転角度に応じて、カメラ本体１からの露出量が変化する。表示モニタ４が閉じられている状態においては、ヒンジＦＰＣ１１はほとんど露出しないが、表示モニタ４の回転角度が大きくなるにつれてヒンジＦＰＣ１１の露出量は大きくなる。
【００３５】
よって、表示モニタ４を開くときには、ヒンジＦＰＣ１１が素直にカメラ本体１から引き出され、表示モニタ４を閉じるときにはヒンジＦＰＣ１１がカメラ本体１に引き込まれなければならない。図示の例では、カメラ本体１内部にヒンジＦＰＣ１１を案内する直進案内機構を設け、この直進案内機構によってヒンジＦＰＣ１１を表示モニタ４の回転動作に伴ってスムーズに出し入れできるようにする。
【００３６】
ここで、上記の直進案内機構について説明する。
【００３７】
図３および図４は、図１に示す表示モニタが閉じられた状態を示す図である。そして、図３（ａ）はトップカバーを取り外して上面側からみた図であり、図３（ｂ）はトップカバーを取り外して正面側から見た図である。また、図４（ａ）は側面側から破断して示す図であり、図４（ｂ）は図４（ａ）に示すＡ−Ａ線に沿った断面図である。
【００３８】
さらに、図５および図６は、図１に示す表示モニタを１８０度回転して開いた状態を示す図である。そして、図５（ａ）はトップカバーおよび表示モニタを取り外して上面側からみた図であり、図５（ｂ）はトップカバーを取り外して正面側から見た図である。また、図６（ａ）は側面側から破断して示す図であり、図６（ｂ）はトップカバーおよびステーを取り外して背面側からみた斜視図である。
【００３９】
図３〜図６を参照して、ヒンジＦＰＣ１１には、一対の穴部１１ａが形成されており、当該穴部１１ａにピン部材１２ｃが挿入されて、ヒンジＦＰＣ１１が樹脂製のガイド部材１２に対して位置決めされる。そして、ヒンジＦＰＣ１１は両面テープ又は接着剤によってガイド部材１２に固定される。
【００４０】
上述のようにして、ヒンジＦＰＣ１１をガイド部材１２に固定した後、ヒンジＦＰＣ１１は、図３（ｃ）に示すように二度折り曲げられて、カメラ本体１に備えられたＦＰＣコネクタ１６ａに挿入される。ヒンジＦＰＣ１１の挿し込み性と表示モニタ４を閉じた際のヒンジＦＰＣ１１の余長の吸収を考慮して、ここでは、ヒンジＦＰＣ１１を二度折り曲げている。なお、ヒンジＦＰＣ１１の折り曲げ回数は二度に限らず、例えば、一度の折り曲げでもよい。
【００４１】
ガイド部材１２はその両端がガイドベース１５ａおよび１５ｂに光軸方向に所定の可動範囲で移動可能に支持される。そして、ガイドベース１５ａおよび１５ｂはカメラ本体１に固定される。また、ガイド部材１２はその下側において両端に凸形状部１２ａが形成されている。
【００４２】
引っ張りバネ１４は、その一端をガイド部材１２に形成された凸形状１２ａに取り付けられる。さらに、引っ張りバネ１４の他端は、カメラ本体１に固定されたトップベース１７に取り付けられる。そして、引っ張りバネ１４によってガイド部材１２を常にカメラ本体１の前方側に付勢する。つまり、ガイド部材１２に固定されたヒンジＦＰＣ１１は常にカメラ本体１の内部に引き込まれる方向に力を受けることになる。引っ張りバネ１４の付勢力によって、ヒンジＦＰＣ１１は表示モニタ４が閉じた状態および開いた状態においても、カメラ本体１の外側で弛むことがない。
【００４３】
図４（ｂ）において、カメラ本体１のトップカバー３には数本のリブ３ａ〜３ｃが形成されている。そして、リブ３ａは、ガイド部材１２のＦＰＣ位置決めダボと互い違いの高さになるように形成される。これによって、ヒンジＦＰＣ１１のガイド部材１２に対するテープ粘着力が低下して、ヒンジＦＰＣ１１が浮いた場合においても、ヒンジＦＰＣ１１はリブ３ａによってガイド部材１２から外れることがない。
【００４４】
リブ３ｂは、ガイド部材１２に形成されたダボ１２ｂに対して一定のクリアランスをもって形成される。ガイド部材１２の紙面横方向の位置はヒンジＦＰＣ１１によって決定される。ヒンジＦＰＣ１１の材質および表面処理に応じてヒンジＦＰＣ１１の硬さを調整することによって、表示モニタ４の回転に応じてガイド部材１２は傾くことなく直進する。一方、ガイド部材１２が傾いた場合においても、ガイド部材１２がガイドベースから外れることを防止することができる。
【００４５】
上記のクリアランスによって、ガイド部材１２の摺動抵抗が小さくなり、さらに、ヒンジＦＰＣ１１に係る負荷が低減する。なお、リブ３ｃはガイドベース１５ａおよび１５ｂの倒れを防止するために用いられる。
【００４６】
ガイドベース１５ｂの表示モニタ４寄りの下側には、検出スイッチ（検知スイッチ）１３がトップＦＰＣ１６上に配置される。表示モニタ４が図３に示す閉じた状態から回転して、表示モニタ４の回転角度が大きくなるにつれて、ヒンジＦＰＣ１１はカメラ本体１の外側に引き出される。
【００４７】
ヒンジＦＰＣ１１はガイド部材１２に固定されているので、ガイド部材１２はヒンジＦＰＣ１１とともに動き、ガイドベース１５の溝に沿って直進移動する。表示モニタ４を１８０度まで回転させると、ガイド部材１２は図４に示す位置まで移動する。この際、ガイド部材１２に形成された凸形状部（突起部）１２ａが検出スイッチ１３のレバーを押す。これによって、検出スイッチ１３がオンして、カメラ本体１は表示モニタ４が開いたことを検出して（つまり、表示モニタ４が略１８０度の所定の回転角度となったことを検出して）、自分撮り撮影のために表示モニタ４に表示された画像を反転させる。
【００４８】
従来、マグネットおよび磁気センサを用いて、表示モニタ４の開き状態（回転角度）を検出していたが、磁気センサは精度がよいものであっても±０．５ｍＴ（ミリテスラ）の感度ばらつきを有する。マグネットの磁力およびマグネットと磁気センサとの相対位置によって変わるが、１ｍＴを回転角度に換算すると約１０度である。そして、マグネットと磁気センサとの相対位置ばらつき、マグネット磁力のばらつきが回転角度換算の合計で２０度あるとすると、最悪の状態においても、表示モニタ４が１８０度回転した際に確実に回転を検出するためには、設計称呼において表示モニタ４が１５０度回転した際の回転角度で表示モニタ４が開いた状態を検出する必要がある。
【００４９】
本実施形態で用いる検出スイッチ１３は、レバーとの動作位置公差が±０．１ｍｍである。表示モニタ４を回転角度１８０度の位置から回転角度１７０度の位置に１０度回転させた場合、ガイド部材１２は１ｍｍ移動するので、検出スイッチ１３の感度ばらつきは２度ということができる。
【００５０】
マグネットの磁力ばらつきは、マグネットサイズのばらつきおよび温度特性によるばらつきを含めて回転角度換算で６度であった。メカ的な相対位置のばらつきを同等とすると、マグネットと磁気センサとを用いた検出手法に比べて、案内機構によってヒンジＦＰＣ１１の移動量を検出した場合には、１４度分回転角度に余裕ができるといえる。
【００５１】
よって、表示モニタ４の回転角度検出位置を設計称呼で１６４度としておけば、メカ部品の寸法公差および検出スイッチ１３の実装ずれなどが最悪の場合であっても、表示モニタ４が１８０度開いた状態を確実に検出することができる。また、本実施形態では、マグネットを用いないのでコストダウンできるという利点もある。
【００５２】
上述のように、表示モニタ４の回転角度検出位置を１８０度に近づけることによって、ユーザが極端なローアングル撮影を行う場合においても表示モニタ４に表示される画像は反転することがなく、ユーザはカメラの設定変更を行う必要がない。さらに、ユーザが自分撮り撮影するために表示モニタ４を１８０度回転させれば、カメラ本体１は確実に表示モニタ４の開き状態を検出し、これによって、表示モニタ４に表示された画像の上下を反転することができる。
【００５３】
［第２の実施形態］
続いて、本発明の第２の実施形態によるカメラについて説明する。なお、ヒンジ部の構成および動きについては、第１の実施形態と同様であるので、ここでは説明を省略する。また、第１の実施形態におけるカメラと同一の構成要素については同一の参照番号を付す。
【００５４】
図７は、本発明の第２の実施形態によるカメラにおいて表示モニタが閉じた状態を説明するための図である。そして、図７（ａ）はトップカバーを取り外して上面側から見た図であり、図７（ｂ）はトップカバーを取り外して正面側から見た図である。また、図７（ｃ）は破断して側面側から見た図である。
【００５５】
さらに、図８は、本発明の第２の実施形態によるカメラにおいて表示モニタが１８０度開いた状態を説明するための図である。そして、図８（ａ）はトップカバーを取り外して上面側から見た図であり、図８（ｂ）はトップカバーを取り外して正面側から見た図である。また、図８（ｃ）は破断して側面側から見た図である。
【００５６】
図７および図８を参照して、ここでは、ヒンジＦＰＣに参照番号２１を付す。図示のカメラにおいては、ヒンジＦＰＣを案内するガイド部材を用いずに、ヒンジＦＰＣ２１にガイド部となる凸形状部２１ａおよび２１ｂを形成する。また、凸形状部（つまり、ガイド部）２１ａおよび２１ｂの下側において、ヒンジＦＰＣ２１と同一形状の補強板（以下裏打ち部という）２１ｃがヒンジＦＰＣ２１の一端から他端まで設けられている。
【００５７】
第２の実施形態では、裏打ち部２１ｃが第１の実施形態で説明したガイド部材１２の役割を果たす。ガイド部２１ａおよび２１ｂはガイドベースの溝に入り込み、高さ方向を規制される。一方、ガイド部２１ａおよび２１ｂは光軸方向において移動可能にヒンジＦＰＣ２１を支持する。ガイド部２１ａおよび２１ｂの各々には、ヒンジＦＰＣ２１および裏打ち部２１ｃに対して貫通孔が設けられており、これら貫通孔の各々に張りバネ１４の一端が取り付けられる。これによって、ヒンジＦＰＣ２１は常にカメラ本体１の内部に引き込まれる。
【００５８】
さらに、第２の実施形態においては、第１の実施形態で説明した検出スイッチの代わりにフォトリフレクタ（反射型光センサ）が用いられる。図７（ａ）に示すように、ガイド部２１ｂの移動後の位置において、その直下にフォトリフレクタ２３が配設される。フォトリフレクタ２３は発光部および受光部を有し、発光部で発光した光がガイド部２１ｂで反射して受光部で受光したことを検出する。
【００５９】
これによって、表示モニタ４が閉じている状態又は回転途中でガイド部２１ｂがフォトリフレクタ２３の真上に到達していない状態においては、フォトリフレクタ２３の発光部で発光した光は反射されることがない。つまり、受光部で反射光が受光されない。この場合、フォトリフレクタ１３は検知信号としてローレベル（Ｌレベル）を出力する。
【００６０】
一方、表示モニタ４が回転して、ヒンジＦＰＣ２１の裏打ち部２１ｃがフォトリフレクタ２３の発光部から発光された光を反射する位置に到達すると、当該光は裏打ち部２１ｃで反射して受光部で受光される。これによって、フォトリフレクタ２３は検知信号としてハイレベル（Ｈレベル）を出力する（つまり、出力が変化する）。
【００６１】
ここでは、光を効率よく反射させるため、裏打ち部２１ｃの材料としてＳＵＳ板金を用いるが、反射光を問題なく検出できるのであれば、裏打ち部２１ｃの材料としてＰＥＴ又はガラスエポキシ樹脂など他の材料を用いるようにしてもよい。
【００６２】
上述のように、本発明の第２の実施形態においても、マグネットおよび磁気センサを用いることなく、表示モニタ４の開き状態を回転角度１８０度に近い回転角度で検出することができる。さらに、第２の実施形態では、第１の実施形態のようにガイド部材１２を用いていないので、さらにコストを削減することができる。
【００６３】
［第３の実施形態］
次に、本発明の第３の実施形態によるカメラについて説明する。なお、ヒンジ部の構成および動きについては、第１の実施形態と同様であるので、ここでは説明を省略する。また、第１の実施形態におけるカメラと同一の構成要素については同一の参照番号を付す。
【００６４】
図９は、本発明の第３の実施形態によるカメラにおいて表示モニタが閉じた状態を説明するための図である。そして、図９（ａ）はトップカバーを取り外して上面側から見た図であり、図９（ｂ）はトップカバーを取り外して正面側から見た図である。また、図９（ｃ）は破断して側面側から見た図である。
【００６５】
さらに、図１０は、本発明の第３の実施形態によるカメラにおいて表示モニタが１８０度開いた状態を説明するための図である。そして、図１０（ａ）はトップカバーを取り外して上面側から見た図であり、図１０（ｂ）はトップカバーを取り外して正面側から見た図である。また、図１０（ｃ）は破断して側面側から見た図である。
【００６６】
図９および図１０を参照して、ここでは、ヒンジＦＰＣに参照番号３１を付す。図示のカメラにおいては、第１の実施形態で説明した検出スイッチの代わりにフォトインタラプタ（光センサ）を用いるとともに、ガイド部材を付勢する引っ張りバネが用いられていない。
【００６７】
ガイド部材３２の端部下方にはリブ３２ａ（遮蔽部材）が形成されており、当該リブ３２ａはガイド部材３２の移動に応じてフォトインタラプタ３３に形成されたスリットに進退する。
【００６８】
ここでは、表示モニタ４の回転に応じてガイド部材３２が端まで移動すると、リブ３２ａがフォトインタラプタ３３に形成されたスリットに進入する。表示モニタ４が閉じている状態および回転途中において、リブ３２ａがフォトインタラプタ３３のスリットに進入していない状態では、フォトインタラプタ３３の発光部から発光された光は受光部で受光される。そして、フォトインタラプタ３３は検知信号としてＬレベルを出力する。
【００６９】
一方、表示モニタ４が回転して、ガイド部材３２のリブ３２ａがフォトインタラプタ３３のスリットに進入すると、フォトインタラプタ３３の発光部から発光した光は、リブ３２ａで遮蔽されて受光部で受光されない。この場合には、フォトインタラプタ３３は検知信号としてＨレベルを出力する（つまり、出力が変化する）。
【００７０】
第３の実施形態では、ヒンジＦＰＣ３１の硬さを部分的によって変えることによって、第１の実施形態で説明した引っ張りバネを用いることなく、ヒンジＦＰＣ３１の直進案内機構をスムーズに動作させることが可能である。
【００７１】
図１０（ｃ）において、ヒンジＦＰＣ３１が外部に露出している範囲は、その外観品位を向上させるためにシルク印刷することが望ましい。また、ガイド部材３２との位置決め部分は強度確保のために裏打ちが必要となる。よって、ヒンジＦＰＣ３１の外部露出部分からガイド部材３２の当接部分までにおいては、ヒンジＦＰＣ３１の硬さがシルク印刷および裏打ちの分だけ硬くなる。
【００７２】
一方、ガイド部材３２からカメラ本体１のコネクタ部にかけて二度折り曲げている範囲においては、ヒンジＦＰＣ３１は曲げおよび移動がスムーズに行われるように表面処理を施すことなく、柔らかい状態に保つ。
【００７３】
このようにして、ヒンジＦＰＣ３１の硬さを調整することによって、表示モニタ４を開く場合には、ガイド部材３２がヒンジＦＰＣ３１に引っ張られて移動する。そして、表示モニタ４を１８０度開いた状態から閉じる場合には、ヒンジＦＰＣ３１の硬い部分によってガイド部材３２がカメラ本体１の内部に押し込まれる。
【００７４】
このように、本発明の第３の実施形態においてもマグネットおよび磁気センサを用いていないので、表示モニタ４の開き状態を１８０度に近い回転角度で検出することができる。さらに、第３の実施形態においては、第１の実施形態と比べて引っ張りバネを用いていないので、コストおよび組立工数をさらに削減することができる。
【００７５】
以上、本発明の好ましい実施形態について説明したが、本発明はこれらの実施形態に限定されず、その要旨の範囲内で種々の変形及び変更が可能である。
【符号の説明】
【００７６】
１  カメラ本体
４  表示モニタ
５，６  連結部材
７  ステー
８  金属シャーシ
１１，２１，３１  ヒンジＦＰＣ
１２，３２  ガイド部材
１３  検出スイッチ
１４  引っ張りバネ
１５  ガイドベース
【図１】
2016186563.tif 000003
【図２】
2016186563.tif 000004
【図３】
2016186563.tif 000005
【図４】
2016186563.tif 000006
【図５】
2016186563.tif 000007
【図６】
2016186563.tif 000008
【図７】
2016186563.tif 000009
【図８】
2016186563.tif 000010
【図９】
2016186563.tif 000011
【図１０】
2016186563.tif 000012